(57)【要約】【課題】  太陽電池の発電量を増加させるとともに、より広い発光面積とより多くの発光量を確保することが可能な装飾装置及びこの装飾装置を備える電子機器を提供する。【解決手段】  装飾装置であって、一対の光透過基板（例えば、図３の上板ガラスｇ１、下板ガラスｇ２）とこの一対の光透過基板間の領域に配設された色素増感型太陽電池素子１１ａとを有する光透過性の色素増感型太陽電池１１と、この色素増感型太陽電池の太陽光入射面側と反対側に配設され、当該色素増感型太陽電池に光を照射するＥＬ発光素子１２と、一対の光透過基板のうち少なくとも一方の光透過基板に設けられた装飾部１３と、を備えている。【選択図】図３
2005324517.tif 000002
【特許請求の範囲】
【請求項１】
一対の光透過基板とこの一対の光透過基板間の領域に配設された色素増感型太陽電池素子とを有する光透過性の太陽電池と、
この太陽電池の太陽光入射面側と反対側に配設され、当該太陽電池に光を照射する光照射部材と、
前記一対の光透過基板のうち少なくとも一方の光透過基板に設けられた装飾部と、
を備えていることを特徴とする装飾装置。
【請求項２】
前記装飾部は、前記一対の光透過基板のうち少なくとも一方の光透過基板の外表面に印刷されていることを特徴とする請求項１記載の装飾装置。
【請求項３】
前記装飾部は、前記一対の光透過基板のうち少なくとも一方の光透過基板の外表面に植字又は貼付されていることを特徴とする請求項１又は２記載の装飾装置。
【請求項４】
前記装飾部は、前記一対の光透過基板のうち少なくとも一方の光透過基板の外表面にエッチングにより形成されていることを特徴とする請求項１〜３の何れか一項に記載の装飾装置。
【請求項５】
前記光照射部材は、
光を発する発光素子と、
この発光素子によって発せられた光を導き入れて前記太陽電池に向けて照射する導光板と、
を備えていることを特徴とする請求項１〜４の何れか一項に記載の装飾装置。
【請求項６】
一対の光透過基板とこの一対の光透過基板間の領域に配設された色素増感型太陽電池素子とを有する光透過性の太陽電池と
この太陽電池の太陽光入射面側と反対側に配設され、当該太陽電池に光を照射する光照射部材と、
この光照射部材の外表面に設けられた装飾部と、
を備えていることを特徴とする装飾装置。
【請求項７】
前記装飾部は、前記光照射部材の光照射外表面に印刷されていることを特徴とする請求項６記載の装飾装置。
【請求項８】
前記装飾部は、前記光照射部材の光照射外表面に植字又は貼付されていることを特徴とする請求項６記載の装飾装置。
【請求項９】
前記光照射部材は、
光を発する発光素子と、
この発光素子によって発せられた光を導き入れて前記太陽電池に向けて照射する導光板と、
を備え、
前記装飾部は、前記導光板の光照射外表面に形成されていることを特徴とする請求項６〜８の何れか一項に記載の装飾装置。
【請求項１０】
一対の光透過基板とこの一対の光透過基板間の領域に配設された色素増感型太陽電池素子とを有する光透過性の太陽電池と、
この太陽電池の太陽光入射面側と反対側に配設され、当該太陽電池に光を照射する光照射部材と、
前記太陽電池の太陽光入射面側に配設された光透過性を有する装飾板と、
この装飾板に形成され、図形、模様及び文字のうち少なくとも何れか一方を含む装飾部と、
を備えていることを特徴とする装飾装置。
【請求項１１】
一対の光透過基板とこの一対の光透過基板間の領域に配設された色素増感型太陽電池素子とを有する光透過性の太陽電池と、
この太陽電池の太陽光入射面側と反対側に配設された光透過性を有する装飾板と、
この装飾板の太陽光入射面側と反対側に配設され、前記太陽電池に光を照射する光照射部材と、
前記装飾板に形成され、図形、模様及び文字のうち少なくとも何れか一方を含む装飾部と、
を備えていることを特徴とする装飾装置。
【請求項１２】
前記装飾部は、前記装飾板の太陽光入射面に印刷されていることを特徴とする請求項１０又は１１記載の装飾装置。
【請求項１３】
前記装飾部は、前記装飾板の太陽光入射面に植字又は貼付されていることを特徴とする請求項１０又は１１記載の装飾装置。
【請求項１４】
前記装飾部は、前記装飾板の太陽光入射面にエッチングにより形成されていることを特徴とする請求項１０又は１１記載の装飾装置。
【請求項１５】
前記一対の光透過基板とこの一対の光透過基板間で、且つ、前記色素増感型太陽電池素子が配設された領域と異なる領域に配設された液晶部とを有する液晶表示部を備え、
前記光照射部材は、
前記色素増感型太陽電池素子が配設された領域と前記液晶部が配設された領域との両方に光を照射することを特徴とする請求項１〜１４の何れか一項に記載の装飾装置。
【請求項１６】
請求項１〜１５の何れか一項に記載の装飾装置を機器ケースに配置したことを特徴とする電子機器。
【請求項１７】
前記太陽電池及び前記装飾部よりも太陽光入射面側に配設され、時刻を指示する指針と、
この指針を駆動させる駆動部と、を備え、
前記装飾部には、前記指針によって指示される時字が含まれることを特徴とする請求項１６記載の電子機器。
【発明の詳細な説明】
【技術分野】
【０００１】
本発明は、腕時計、携帯電話機などの各種の電子機器に適用される装飾装置及びこの装飾装置を備える電子機器に関する。
【背景技術】
【０００２】
従来より、太陽電池を備える指針付き腕時計が知られている（例えば、特許文献１参照。）。
特許文献１記載の指針付き腕時計は、例えば、文字板の下面に、太陽電池と、ＥＬ発光層とが同一面上に配置されている。そして、ＥＬ発光層を発光させることにより、暗所においても文字板の文字等を視認できるようになっている。
【０００３】
また、時刻を指示するための指針と、この指針の下側に配設され、下面に凹凸部が形成された光透過性を有する装飾板である導光板と、この導光板の下側に配設された太陽電池素子と、導光板の側部に配設された発光素子等を備えた腕時計も知られている（例えば、特許文献２参照。）。
そして、この発光素子によって発せられた光が導光板の内部に導かれながら、導光板の凹凸部によって拡散、反射され、導光板の上面から出射されるので、導光板を面発光させることができることとなって、暗所において導光板及び指針を視認可能な構成となっている。
【特許文献１】特開平１１−５２０６８号公報
【特許文献２】特開２００４−５３３８０号公報
【発明の開示】
【発明が解決しようとする課題】
【０００４】
しかしながら、特許文献１記載の指針付き腕時計においては、太陽電池とＥＬ発光層とを同一面上に配置するため、指針付き腕時計の大きさの問題から太陽電池の受光面積が制限を受けるため、発電量を増やすことができないという問題点があった。
同様に、ＥＬ発光層の発光面積も制限を受けるため、文字板の時字等の装飾や指針等を視認するための十分な発光量を確保しにくいという問題点もあった。
【０００５】
また、特許文献２記載の腕時計においては、この腕時計に入射してくる外光の一部が導光板の凹凸部によって散乱してしまうため、太陽電池の発電量が低下してしまうという問題点があった。
【０００６】
そこで、本発明の課題は、太陽電池の発電量を増加させるとともに、より広い発光面積とより多くの発光量を確保することが可能な装飾装置及びこの装飾装置を備える電子機器を提供することである。
【課題を解決するための手段】
【０００７】
上記課題を解決するために、請求項１記載の発明は、装飾装置であって、
一対の光透過基板（例えば、図３、図２１の上板ガラスｇ１と下板ガラスｇ２、図２４の上板ガラスｇ３と下板ガラスｇ４）とこの一対の光透過基板間の領域に配設された色素増感型太陽電池素子（例えば、図３の色素増感型太陽電池素子１１ａ、図２１の色素増感型太陽電池素子９１ａ、図２４の色素増感型太陽電池素子１１１ａ）とを有する光透過性の太陽電池（例えば、図３の色素増感型太陽電池１１、図２１の色素増感型太陽電池９１、図２４の色素増感型太陽電池１１１）と、
この太陽電池の太陽光入射面側と反対側に配設され、当該太陽電池に光を照射する光照射部材（例えば、図３、図２１のＥＬ発光素子１２、図１４のＬＥＤ６２と導光板６３、図２４のＥＬ発光素子１１６）と、
前記一対の光透過基板のうち少なくとも一方の光透過基板に設けられた装飾部（例えば、図１の装飾部１３、図６の装飾部２１、図８の装飾部３１、図１９の装飾部９３、図２４の装飾部１１３）と、
を備えていることを特徴とする。
【０００８】
請求項２記載の発明は、請求項１記載の装飾装置であって、
前記装飾部は、前記一対の光透過基板のうち少なくとも一方の光透過基板（例えば、図３、図２１の上板ガラスｇ１と下板ガラスｇ２、図２４の上板ガラスｇ３と下板ガラスｇ４）の外表面（例えば、図３、図２１の外表面ｇ１１、外表面ｇ２１、図２４の外表面ｇ３１、外表面ｇ４１）に印刷されていることを特徴とする。
【０００９】
請求項３記載の発明は、請求項１又は２記載の装飾装置であって、
前記装飾部は、前記一対の光透過基板のうち少なくとも一方の光透過基板（例えば、図３、図２１の上板ガラスｇ１と下板ガラスｇ２、図２４の上板ガラスｇ３と下板ガラスｇ４３）の外表面（例えば、図３、図２１の外表面ｇ１１、外表面ｇ２１、図２４の外表面ｇ３１、外表面ｇ４１）に植字又は貼付されていることを特徴とする。
【００１０】
請求項４記載の発明は、請求項１〜３の何れか一項に記載の装飾装置であって、
前記装飾部は、前記一対の光透過基板のうち少なくとも一方の光透過基板（例えば、図３、図２１の上板ガラスｇ１と下板ガラスｇ２、図２４の上板ガラスｇ３と下板ガラスｇ４）の外表面（例えば、図３、図２１の外表面ｇ１１、外表面ｇ２１、図２４の外表面ｇ３１、外表面ｇ４１）にエッチングにより形成されていることを特徴とする。
【００１１】
請求項５記載の発明は、請求項１〜４の何れか一項に記載の装飾装置であって、
前記光照射部材は、
光を発する発光素子（例えば、図１４のＬＥＤ６２）と、
この発光素子によって発せられた光を導き入れて前記太陽電池に向けて照射する導光板（例えば、図１４の導光板６３）と、
を備えていることを特徴とする。
【００１２】
請求項６記載の発明は、装飾装置であって、
一対の光透過基板（例えば、図１０、図１４の上板ガラスｇ１と下板ガラスｇ２）とこの一対の光透過基板間の領域に配設された色素増感型太陽電池素子（例えば、図１０、図１４の色素増感型太陽電池素子１１ａ）とを有する光透過性の太陽電池（例えば、図１０、図１４の色素増感型太陽電池１１）と
この太陽電池の太陽光入射面側と反対側に配設され、当該太陽電池に光を照射する光照射部材（例えば、図１０のＥＬ発光素子１２、図１４のＬＥＤ６２と導光板６３）と、
この光照射部材の外表面（例えば、図１０の光照射外表面１２ａ、図１４の光照射外表面６２ａ）に設けられた装飾部（例えば、図１０、図１４の装飾部１３）と、
を備えていることを特徴とする。
【００１３】
請求項７記載の発明は、請求項６記載の装飾装置であって、
前記装飾部は、前記光照射部材の光照射外表面（例えば、図１０の光照射外表面１２ａ）に印刷されていることを特徴とする。
【００１４】
請求項８記載の発明は、請求項６又は７記載の装飾装置であって、
前記装飾部は、前記光照射部材の光照射外表面（例えば、図１２の光照射外表面１２ａ）に植字又は貼付されていることを特徴とする。
【００１５】
請求項９記載の発明は、請求項６〜８の何れか一項に記載の装飾装置であって、
前記光照射部材は、
光を発する発光素子（例えば、図１４のＬＥＤ６２）と、
この発光素子によって発せられた光を導き入れて前記太陽電池に向けて照射する導光板（例えば、図１４の導光板６３）と、
を備え、
前記装飾部は、前記導光板の光照射外表面（例えば、図１４の光照射外表面６２ａ）に形成されていることを特徴とする。
【００１６】
請求項１０記載の発明は、装飾装置であって、
一対の光透過基板（例えば、図１６の上板ガラスｇ１と下板ガラスｇ２）とこの一対の光透過基板間の領域に配設された色素増感型太陽電池素子（例えば、図１６の色素増感型太陽電池素子１１ａ）とを有する光透過性の太陽電池（例えば、図１６の色素増感型太陽電池１１）と、
この太陽電池の太陽光入射面側と反対側に配設され、当該太陽電池に光を照射する光照射部材（例えば、図１６のＥＬ発光素子１２）と、
前記太陽電池の太陽光入射面側に配設された光透過性を有する装飾板（例えば、図１６の装飾板７１）と、
この装飾板に形成され、図形、模様及び文字のうち少なくとも何れか一方を含む装飾部（例えば、図１６の装飾部２１）と、
を備えていることを特徴とする。
【００１７】
請求項１１記載の発明は、装飾装置であって、
一対の光透過基板（例えば、図１８の上板ガラスｇ１と下板ガラスｇ２）とこの一対の光透過基板間の領域に配設された色素増感型太陽電池素子（例えば、図１８の色素増感型太陽電池素子１１ａ）とを有する光透過性の太陽電池（例えば、図１８の色素増感型太陽電池１１）と、
この太陽電池の太陽光入射面側と反対側に配設された光透過性を有する装飾板（例えば、図１８の装飾板７１）と、
この装飾板の太陽光入射面側と反対側に配設され、前記太陽電池に光を照射する光照射部材（例えば、図１８のＥＬ発光素子１２）と、
前記装飾板に形成され、図形（例えば、図１８の時字２１ａ）、模様及び文字（例えば、図１８の文字２１ｂ）のうち少なくとも何れか一方を含む装飾部（例えば、図１８の装飾部２１）と、
備えていることを特徴とする。
【００１８】
請求項１２記載の発明は、請求項１０又は１１記載の装飾装置であって、
前記装飾部は、前記装飾板の太陽光入射面（例えば、図１６の太陽光入射面７１ａ）に印刷されていることを特徴とする。
【００１９】
請求項１３記載の発明は、請求項１０〜１２の何れか一項に記載の装飾装置であって、
前記装飾部は、前記装飾板の太陽光入射面（例えば、図１６の太陽光入射面７１ａ）に植字又は貼付されていることを特徴とする。
【００２０】
請求項１４記載の発明は、請求項１０〜１３の何れか一項に記載の装飾装置であって、
前記装飾部は、前記装飾板の太陽光入射面（例えば、図１６の太陽光入射面７１ａ）にエッチングにより形成されていることを特徴とする。
【００２１】
請求項１５記載の発明は、請求項１〜１４の何れか一項に記載の装飾装置であって、
前記一対の光透過基板とこの一対の光透過基板間で、且つ、前記色素増感型太陽電池素子が配設された領域と異なる領域に配設された液晶部（例えば、図２１の液晶部９２ａ、図２４の液晶部１１３ａ）とを有する液晶表示部（例えば、図２１の液晶表示部９２、図２４の液晶表示部１１３）を備え、
前記光照射部材は、
前記色素増感型太陽電池素子が配設された領域（例えば、図２１、図２４の第１の領域Ｅ１）と前記液晶部が配設された領域（例えば、図２１、図２４の第２の領域Ｅ２）との両方に光を照射することを特徴とする。
【００２２】
請求項１６記載の発明は、電子機器（例えば、図１の腕時計１００、図１９の腕時計９００、図２３の携帯電話機１０００）であって、
請求項１〜請求項１５の何れかに記載の装飾装置を機器ケース（例えば、図２の時計ケース２、図２０の時計ケース２ａ、図２４の第２の筐体１３０）に配置したことを特徴とする。
【００２３】
請求項１７記載の発明は、請求項１６記載の電子機器（例えば、図１の腕時計１００、図１９の腕時計９００）であって、
前記太陽電池及び前記装飾部よりも太陽光入射面側に配設され、時刻を指示する指針（例えば、図１の指針８ｂ、図１９の指針９４）と、
この指針を駆動させる駆動部（例えば、図２、図２０のアナログ指針機構８）と、を備え、
前記装飾部には、前記指針によって指示される時字（例えば、図１の時字１３ａ、図１９の時字９３ａ）が含まれることを特徴とする。
【発明の効果】
【００２４】
請求項１記載の発明によれば、一対の光透過基板とこの一対の光透過基板間の領域に配設された色素増感型太陽電池素子とを有する光透過性の太陽電池と、この太陽電池の太陽光入射面側と反対側に配設され、当該太陽電池に光を照射する光照射部材と、一対の光透過基板のうち少なくとも一方の光透過基板に設けられた装飾部と、を備えているので、太陽電池が外光及び光照射部材から照射される光により発電できることとなる。従って、太陽電池の発電量をより増加させることが可能となる。
また、光照射部材を太陽電池の太陽光入射面側と反対側に配設したので、従来の同一面上に光照射部材と太陽電池とを配置した場合に比べて、より広い発光面積の光照射部材を配置することができることとなって、発光量も増加させることができる。
さらに、例えば、二次電池等を備えることにより太陽電池の発電により得られる電力を蓄積可能に構成した場合には、光照射部材によって発せられた光を利用した発電で得られた電力により、この光照射部材を発光させることができるので、光照射部材を発光させたときの消費電力を低減させることが可能となることとなって、電力効率の良い装飾装置を提供することができる。
また、光透過基板が従来の装飾部材の役割を果たすことが可能なので、別途装飾部材を設ける必要がなくなり、装飾装置を薄型化できる。
【００２５】
請求項２記載の発明によれば、請求項１記載の発明と同様の効果が得られるのは無論のこと、特に、装飾部は、一対の光透過基板のうち少なくとも一方の光透過基板の外表面に印刷されているので、多様な装飾部をより容易に形成することができる。
【００２６】
請求項３記載の発明によれば、請求項１又は２記載の発明と同様の効果が得られるのは無論のこと、特に、装飾部は、一対の光透過基板のうち少なくとも一方の光透過基板の外表面に植字又は貼付されているので、立体感や高級感を備える装飾部を設けることができる。
【００２７】
請求項４記載の発明によれば、請求項１〜３の何れか一項に記載の発明と同様の効果が得られるのは無論のこと、特に、装飾部は、一対の光透過基板のうち少なくとも一方の光透過基板の外表面にエッチングにより形成されているので、光透過基板の外表面に凹凸が形成されることとなって、より一層多彩な装飾部を好適に設けることができる。
【００２８】
請求項５記載の発明によれば、請求項１〜４の何れか一項に記載の発明と同様の効果が得られるのは無論のこと、特に、光照射部材は、光を発する発光素子と、この発光素子によって発せられた光を導き入れて太陽電池に向けて照射する導光板とを備えているので、太陽電池に光が確実に均等に照射されることとなって、発電効率をより向上させることができる。
【００２９】
請求項６記載の発明によれば、一対の光透過基板とこの一対の光透過基板間の領域に配設された色素増感型太陽電池素子とを有する光透過性の太陽電池とこの太陽電池の太陽光入射面側と反対側に配設され、当該太陽電池に光を照射する光照射部材と、この光照射部材の外表面に設けられた装飾部と、を備えているので、太陽電池が外光及び光照射部材から照射される光により発電できることとなる。従って、太陽電池の発電量をより増加させることが可能となる。
また、光照射部材を太陽電池の太陽光入射面側と反対側に配設したので、従来の同一面上に光照射部材と太陽電池とを配置した場合に比べて、より広い発光面積の光照射部材を配置することができることとなって、発光量も増加させることができる。
また、例えば、二次電池等を備えることにより太陽電池の発電により得られる電力を蓄積可能に構成した場合には、光照射部材によって発せられた光を利用した発電で得られた電力により、この光照射部材を発光させることができるので、光照射部材を発光させたときの消費電力を低減させることが可能となることとなって、電力効率の良い装飾装置を提供することができる。
また、光透過基板が従来の装飾部材の役割を果たすので、別途装飾部材を設ける必要がなくなり、装飾装置を薄型化できる。
【００３０】
請求項７記載の発明によれば、請求項６記載の発明と同様の効果が得られるのは無論のこと、特に、装飾部は、光照射部材の光照射外表面に印刷されているので、多様な装飾をより容易に設けることができる。
【００３１】
請求項８記載の発明によれば、請求項６又は７記載の発明と同様の効果が得られるのは無論のこと、特に、装飾部は、光照射部材の光照射外表面に植字又は貼付されているので、立体感や高級感を備える装飾部を設けることができる。
【００３２】
請求項９記載の発明によれば、請求項６〜８の何れか一項に記載の発明と同様の効果が得られるのは無論のこと、特に、光照射部材は、光を発する発光素子と、この発光素子によって発せられた光を導き入れて太陽電池に向けて照射する導光板と、を備えているので、太陽電池に光が確実に均等に照射されることとなって、発電効率をより向上させることができる。
また、装飾部は導光板の光照射外表面に形成されているので、発光素子から発せられる光により装飾部をより好適に視認することができる。
【００３３】
請求項１０記載の発明によれば、一対の光透過基板とこの一対の光透過基板間の領域に配設された色素増感型太陽電池素子とを有する光透過性の太陽電池と、この太陽電池の太陽光入射面側と反対側に配設され、当該太陽電池に光を照射する光照射部材と、太陽電池の太陽光入射面側に配設された光透過性を有する装飾板と、この装飾板に形成され、図形、模様及び文字のうち少なくとも何れか一方を含む装飾部とを備えているので、太陽電池が外光及び光照射部材から照射される光により発電できることとなる。従って、太陽電池の発電量をより増加させることが可能となる。
また、光照射部材を太陽電池の太陽光入射面側と反対側に配設したので、従来の同一面上に光照射部材と太陽電池とを配置した場合に比べて、より広い発光面積の光照射部材を配置することができることとなって、発光量も増加させることができる。
また、例えば、二次電池等を備えることにより太陽電池の発電により得られる電力を蓄積可能に構成した場合には、光照射部材によって発せられた光を利用した発電で得られた電力により、この光照射部材を発光させることができるので、光照射部材を発光させたときの消費電力を低減させることが可能となることとなって、電力効率の良い装飾装置を提供することができる。
また、装飾板として、光透過性を有する有色の装飾板を備えた場合には、この装飾板の色と、色素増感型太陽電池素子の色素の色との合成色が視認されることとなるので、装飾における色彩のバリエーションを増やすことができる。
【００３４】
請求項１１記載の発明によれば、一対の光透過基板とこの一対の光透過基板間の領域に配設された色素増感型太陽電池素子とを有する光透過性の太陽電池と、この太陽電池の太陽光入射面側と反対側に配設された光透過性を有する装飾板と、この装飾板の太陽光入射面側と反対側に配設され、太陽電池に光を照射する光照射部材と、装飾板に形成され、
図形、模様及び文字のうち少なくとも何れか一方を含む装飾部と、を備えているので、太
陽電池が外光及び光照射部材から照射される光により発電できることとなる。従って、太陽電池の発電量をより増加させることが可能となる。
また、光照射部材を太陽電池の太陽光入射面側と反対側に配設したので、従来の同一面上に光照射部材と太陽電池とを配置した場合に比べて、より広い発光面積の光照射部材を配置することができることとなって、発光量も増加させることができる。
また、例えば、二次電池等を備えることにより太陽電池の発電により得られる電力を蓄積可能に構成した場合には、光照射部材によって発せられた光を利用した発電で得られた電力により、この光照射部材を発光させることができるので、光照射部材を発光させたときの消費電力を低減させることが可能となることとなって、電力効率の良い装飾装置を提供することができる。
【００３５】
請求項１２記載の発明によれば、請求項１０又は１１記載の発明と同様の効果が得られるのは無論のこと、特に、装飾部は、装飾板の太陽光入射面に印刷されているので、多様な装飾をより容易に形成することができる。
【００３６】
請求項１３記載の発明によれば、請求項１０〜１２の何れか一項に記載の発明と同様の効果が得られるのは無論のこと、特に、装飾部は、前記装飾板の太陽光入射面に植字又は貼付されているので、立体感や高級感を備える装飾部を設けることができる。
【００３７】
請求項１４記載の発明によれば、請求項１０〜１３の何れか一項に記載の発明と同様の効果が得られるのは無論のこと、特に、装飾部は、前記装飾板の太陽光入射面にエッチングにより形成されているので、より一層多彩な装飾を好適に形成させることができる。
【００３８】
請求項１５記載の発明によれば、請求項１〜１４の何れか一項に記載の発明と同様の効果が得られるのは無論のこと、特に、一対の光透過基板とこの一対の光透過基板間で、且つ、色素増感型太陽電池素子が配設された領域と異なる領域に配設された液晶部とを有する液晶表示部を備え、光照射部材は、色素増感型太陽電池素子が配設された領域と液晶部が配設された領域の両方に光を照射するので、一つの光照射部材による光の照射により、太陽電池が発電するとともに、液晶部の液晶表示を暗所においても視認可能となる。従って、光照射部材を個別に設ける必要がなくなることとなって、コストをより削減することができる。
【００３９】
請求項１６記載の発明によれば、請求項１〜１５の何れか一項に記載の装飾装置を機器ケースに配置したので、太陽電池の発電量をより増加させることが可能で、且つ、より広い発光面積とより多くの発光量を確保することが可能な装飾装置を有する電子機器を提供することができる。
【００４０】
請求項１７記載の発明によれば、請求項１６記載の発明と同様の効果が得られるのは無論のこと、特に、太陽電池及び前記装飾部よりも太陽光入射面側に配設され、時刻を指示する指針と、この指針を駆動させる駆動部と、を備え、装飾部には、指針によって指示される時字が含まれるので、時計として機能することができ、その結果、光照射部材により太陽電池に光が照射されるので、暗所でも時刻を明瞭に視認することができる。
【発明を実施するための最良の形態】
【００４１】
以下、図面を参照して本発明にかかる装飾装置を電子機器としての腕時計に適用した形態を詳細に説明する。
【００４２】
［実施形態１］
図１は、本発明における装飾装置を適用した腕時計を示した平面図であり、図２は、図１の腕時計のＩＩ−ＩＩ線における断面図、図３は、図２の腕時計の要部の拡大図、図４
は、図１の腕時計の要部構成を示すブロック図である。
【００４３】
図１、図２に示すように、腕時計１００には、時計計時部１を内部に収納する機器ケースとしての時計ケース２が備えられ、時計ケース２の上部中央には時計ガラス３が装着されている。さらに、この時計ケース２の太陽光入射面側と反対側には、裏蓋４が防水リング４ａを介してビス（図示省略）により取り付けられている。また、時計ケース２の外周部には、入力部１０２（図４参照）を構成する当該腕時計１００の各種機能の実行を指示する各スイッチ１０２ａ〜ｄが設けられている。
【００４４】
時計計時部１は、例えば、図２に示すように、太陽光入射面側に設けられた上部ハウジング５と、この上部ハウジング５の太陽光入射面側と反対側に設けられた下部ハウジング６と、本発明にかかる装飾装置１０等を備えている。
この上部ハウジング５と下部ハウジング６との間には、例えば、ＰＷＢなどの回路基板７が配置されている。
上部ハウジング６の上部には、上面を時計ガラス３の下面に略当接させるようにして枠状部材１５が配設されている。
【００４５】
下部ハウジング６には、駆動部としてのアナログ指針機構８と、装飾装置１０の色素増感型太陽電池１１（後述）で発電された電力を蓄積するための二次電池９が組み込まれている。
アナログ指針機構８は、装飾装置１０に設けられた軸孔ａからその上方に延びる指針軸８ａと、この指針軸８ａに取り付けられた時針８１、分針８２、秒針８３などの指針８ｂとを備え、これらの指針８ｂが装飾装置１０の上方を運針するように構成されている。このアナログ指針機構８は、回路基板７に電気的に接続されており、また、二次電池９も回路基板７に電気的に接続されている。
【００４６】
装飾装置１０は、例えば、図２、図３に示すように、太陽電池としての色素増感型太陽電池１１と、この色素増感型太陽電池１１の裏側（太陽光入射面側と反対側）に配設され、色素増感型太陽電池１１に光を照射する光照射部材としてのＥＬ発光素子１２と、色素増感型太陽電池１１に設けられた装飾部１３とを備えて構成されている。
【００４７】
色素増感型太陽電池１１は、一対の光透過基板を構成する上板ガラスｇ１及び下板ガラスｇ２と、この上板ガラスｇ１と下板ガラスｇ２との間の領域に配設された色素増感型太陽電池素子１１ａとから構成されている。
【００４８】
上板ガラスｇ１の外表面ｇ１１（太陽光入射面）には、図１に示す装飾部１３が印刷されている。この装飾部１３は、例えば、図１に示す時字１３ａと、文字１３ｂとから構成されている。
【００４９】
時字１３ａは、例えば、図１に示すように、略長方形の図形であって、上板ガラスｇ１の太陽光入射面の周縁部に等間隔で１２カ所に印刷されている。そして、この時字１３ａが指針８ｂによって指示されることによって、現在の時刻を知ることができるようになっている。
【００５０】
文字１３ｂは、例えば、会社名、商品名等を示す文字である。具体的には、例えば、図１に示すように、時字１３ａの１２時に対応する部分の近傍に、「Ａ」、「Ｉ」、「Ｃ」の３文字のアルファベットが印刷され、文字１３ｂ（「ＡＩＣ」）を構成している。
この時字１３ａ及び文字１３ｂは、例えば、非光透過性或いは光半透過性の塗料が上板ガラスｇ１に塗付されることにより印刷されており、外光の透過量が他の部分と異なるように構成され、視認できるようになっている。
【００５１】
なお、時字１３ａ及び文字１３ｂの印刷方法は特に限定されるものではなく、例えば、数種類の印刷方法を用いて印刷を行い、より視認性、デザイン性を高めるようにしてもよい。
【００５２】
色素増感型太陽電池素子１１ａは、例えば、上板ガラスｇ１の下面に備えられた図示しない上透明電極と、下板ガラスｇ２の上面に備えられた図示しない下透明電極と、その上透明電極と下透明電極の間にシール部材１１ｂにより封止され、所定の色素を吸着させた図示しない金属酸化物層と、同じく上透明電極と下透明電極の間にシール部材１１ｂにより封止された所定の電解質を有する図示しない電荷輸送層等により構成されている。
【００５３】
ここで、色素としては、例えば、ルテニウム錯体（RuL2(NCS)2, L=4.4'-dicarboxy-2,2' bipyridine）を用いることができ、金属酸化物である酸化チタン（ＴｉＯ2）に吸着させて金属酸化物層が形成される。また、電解質としては、ヨウ化物を用いることができ、例えば、ポリエチレングリコールにヨウ化リチウムや金属ヨウ素を加えて電荷輸送層が形成される。
【００５４】
色素増感型太陽電池１１には、時計ガラス３を通して太陽光などの外光が照射されるようになっている。
また、色素増感型太陽電池１１は、光透過性を有しており、バックライトとしてのＥＬ発光素子１２から発せられる光を色素増感型太陽電池１１の太陽光入射面側へ透過させることができる。
【００５５】
この色素増感型太陽電池１１に光が照射されると、色素増感型太陽電池１１の金属酸化物層（図示省略）に吸着された色素が光エネルギーを吸収し、電子を放出する。その放出された電子は酸化チタンを介して一方の透明電極へ引き渡されて、その透明電極から外部の所定の負荷抵抗（例えば、時計計時部１のアナログ指針機構８など）へ送られる。その負荷抵抗を経由して移動した電子は、他方の透明電極に到達した後、電解質層（図示省略）を介して、色素に復帰する。この電子の循環現象により電流を発生させて発電し、負荷抵抗に電気エネルギーを供給することが可能になる。
【００５６】
次に、図４を参照して、腕時計１００の内部構成について説明する。
図４は、腕時計１００の内部構成を示すブロック図であり、ＣＰＵ１０１、入力部１０２、指針駆動回路部１０３、表示駆動回路部１０４、ＲＡＭ１０５、ＲＯＭ１０６、計時回路部１０７、発振回路部１０８によって構成されており、発振回路部１０８を除く各部はバスＢによって接続されている。
【００５７】
ＣＰＵ１０１は、所定のタイミング或いは入力部１０２から入力された操作信号等に応じて、ＲＯＭ１０６内に格納された各種プログラムに基づいて各機能部への指示やデータの転送等を行う。特に、ＣＰＵ１０１は、例えば、計時回路部１０７で計数される現在時刻データに基づく時刻信号を指針駆動回路部１０３に出力して表示時刻を更新させる等の各種制御を行う。
【００５８】
入力部１０２は、腕時計１００に各種機能を実行させる為のスイッチ１０２ａ〜ｄ（図１参照）等で構成される。そして、これらのスイッチ１０２ａ〜ｄが操作された時には、対応するスイッチの操作信号がＣＰＵ１０１に出力される。
【００５９】
指針駆動回路部１０３は、アナログ指針機構８の一部を構成する回路であり、例えば計時回路部１０６による現在時刻データに基づいて駆動信号を出力し、指針８ｂを運針させ、時刻指示を行わせる。
【００６０】
表示駆動回路部１０４は、ＣＰＵ１０１から出力された出力指示信号に基づいて、ＥＬ発光素子１２に発光信号を出力し、色素増感型太陽電池１１に向けて発光を行わせる回路である。
【００６１】
ＲＡＭ１０５は、ＣＰＵ１０１の制御の下、ＣＰＵ１０１で処理されたデータを一時的に記憶する。ＲＯＭ１０６は、主に、腕時計１００に係るシステムプログラム等を記憶する。
【００６２】
計時回路部１０６は、常時一定周波数の信号を出力する発振回路部１０７に接続され、発振回路部１０７から出力される信号を計数して、現在時刻データ等を得る。そして当該現在時刻データをＣＰＵ１０１に出力する。
【００６３】
次に、上記構成の腕時計１００の動作について説明する。
最初に、外光が入射した場合における腕時計１００の動作の一例について説明する。
太陽光、室内灯等の外光が時計ガラス３の太陽光入射面側から入射すると、入射した光は上板ガラスｇ１を透過し、色素増感型太陽電池素子１１ａの色素（図示省略）に吸収されることにより光電変換がなされ、発電が行われる。そして、この発電により得られた電力は、二次電池９に充電される。
そして、指針駆動回路部１０３からアナログ指針機構８へ駆動信号が出力されると、アナログ指針機構８は、色素増感型太陽電池１１の発電により得られた電力により指針８ｂを運針させる。
【００６４】
次に、バックライトであるＥＬ発光素子１２から光が照射された場合における腕時計の動作の一例について説明する。
先ず、夜間、曇天、暗所等において、ユーザによる入力部１０２（図１参照）の押下があった場合には、ＣＰＵ１０１から表示駆動回路部１０４（図４参照）へ出力指示信号が出力される。次いで、表示駆動回路部１０４（図４参照）からＥＬ発光素子１２へ発光信号が出力され、二次電池９に充電されている電力によってＥＬ発光素子１２から色素増感型太陽電池素子１１に光が発せられることにより、装飾部１３が視認可能な状態となる。
このとき、ＥＬ発光素子１２から発せられる光が下板ガラスｇ２を透過して色素増感型太陽電池素子１１ａの色素に吸収されるので、色素増感型太陽電池１１において発電が行われる。
なお、暗所等においては、腕時計１００の指針８ｂは、二次電池９に充電されている電力により運針される。
【００６５】
以上のように、実施形態１の腕時計１００によれば、内部に備える装飾装置１０の色素増感型太陽電池１１が太陽光入射面側から入射する太陽光や室内灯の光等により発電を行うことができるとともに、色素増感型太陽電池１１の太陽光入射面側と反対側に配設されているＥＬ発光素子１２から発せられる光によっても発電を行うことができることとなる。従って、色素増感型太陽電池１１の発電量をより増加させることが可能となる。
また、ＥＬ発光素子１２（光照射部材）を色素増感型太陽電池１１の太陽光入射面側と反対側に配設したので、従来の同一面上に光照射部材と太陽電池とを配置した場合に比べて、より広い発光面積のＥＬ発光素子１２を配置することができることとなって、発光量も増加させることができる。
また、暗所においてＥＬ発光素子１２を発光させた場合には、ＥＬ発光素子１２から発せられた光によって色素増感型太陽電池１１が発電を行い、この発電した電力を二次電池９に蓄える。これにより、ＥＬ発光素子１２による電力消費を色素増感型太陽電池１１が得た電力で補充することが可能となり、ＥＬ発光素子１２を発光させたときの消費電力を低減させることが可能となるので、電力効率の良い装飾装置１０を備えている腕時計１００を提供することができる。
【００６６】
また、ＥＬ発光素子１２から発せられる光が、内部に備える装飾装置１０（色素増感型太陽電池１１）を透過し、腕時計１００の太陽光入射面側に到達する。従って、暗所においてＥＬ発光素子１２を発光させることにより、上板ガラスｇ１の時字１３ａ及び文字１３ｂ（「ＡＩＣ」）や、指針８ｂをその光で照射することができる。
また、上板ガラスｇ１に時字１３ａ及び文字１３ｂが直接印刷されているので、装飾用の装飾板等を別途備える必要が無くなることとなって、装飾装置１０の薄型化を図ることができ、結果として腕時計１００の薄型化を図ることができる。
【００６７】
なお、装飾部１３が設けられる箇所は、上板ガラスｇ１の外表面ｇ１１に限定されるものではなく、例えば、下板ガラスｇ２の外表面ｇ２１（ＥＬ発光素子１２側の面）であってもよく、さらに、上板ガラスｇ１の外表面ｇ１１および下板ガラスｇ２の外表面ｇ２１両方に設けられていてもよい。
また、装飾部１３は、時字１３ａのような図形、文字１３ｂのような文字の他、放射状模様、同心円状模様、格子状模様等の模様を含む構成であってもよい。
【００６８】
［実施形態２］
次に、図５、図６を参照して、本発明を腕時計に適用した実施形態２について説明する。図５は、本発明にかかる実施形態２を適用した腕時計を示す断面図、図６は、図５の腕時計の要部の拡大図である。なお、実施形態２は、装飾装置２０の構成以外の点では実施形態１と同様であるので、同様の構成については同一の符合を付し、詳細な説明は省略する。
【００６９】
図５に示すように、腕時計２００に備えられる装飾装置２０の上板ガラスｇ１の外表面ｇ１１には、装飾部２１が植字されている。
より具体的には、例えば、図６に示すように、時字２１ａ及び文字２１ｂが植字されることにより、これらが上板ガラスｇ１から時計ガラス３側に向かって突出して形成されている。
【００７０】
時字２１ａは、例えば、平面視略長方形状の金属製の棒状部材により構成されている。
そして、この時字２１ａが上板ガラスｇ１に植字されることにより、装飾部２１の一部を構成する。
文字２１ｂは、例えば、「Ａ」、「Ｉ」、「Ｃ」の各形状をなした各金属部材から構成され、それぞれが上板ガラスｇ１の所定の位置に植字されることにより、文字２１ｂ（「ＡＩＣ」）を構成し、装飾部２１の一部を構成する。
【００７１】
以上説明した実施形態２の腕時計２００によれば、装飾装置２１の時字２１ａ及び文字２１ｂが上板ガラスｇ１の外表面ｇ１１に植字されているので、より多様な装飾を施すことができる。
また、植字により立体的に装飾することも可能となるので、より装飾のバリエーションを増やすことができる。
また、時字２１ａ、文字２１ｂを、白蝶貝等の貝類や、オパール等の輝石類により構成し、より高級感を備えることができる。
【００７２】
なお、時字２１ａ及び文字２１ｂを上板ガラスｇ１の外表面ｇ１１に貼付けることにより、装飾部２１を形成するようにしてもよい。
また、時字２１ａは、棒状部材に限定されるものではなく、円形状部材であってもよいし、アラビア数字、ローマ数字等の形状をなした部材を植字又は貼付することにより構成してもよい。
また、装飾部２１の時字２１ａ及び文字２１ｂの植字方法又は貼付方法は、特に限定されるものではなく、植字又は貼付は手作業、自動作業の如何も問わない。
また、時字２１ａ及び文字２１ｂは、光透過性の部材であってもよいが、ＥＬ発光素子１２によって発せられる光により暗所にて視認可能とする点で、非光透過性の金属部材等を用いるのが好ましい。
また、装飾部２１は、時字２１ａのような図形、文字２１ｂのような文字の他、放射状模様、同心円状模様、格子状模様等の模様を含む構成であってもよい。
【００７３】
また、装飾部２１が設けられる箇所は、上板ガラスｇ１の外表面ｇ１１に限定されるものではなく、例えば、下板ガラスｇ２の外表面ｇ２１（ＥＬ発光素子１２側の面）であってもよく、さらに、上板ガラスｇ１の外表面ｇ１１および下板ガラスｇ２の外表面ｇ２１両方のガラスに設けられていてもよい。
【００７４】
［実施形態３］
次に、図７、図８を参照して、本発明を腕時計に適用した実施形態３について説明する。図７は、本発明にかかる実施形態３を適用した腕時計を示す断面図、図８は、図７の腕時計の要部の拡大図である。なお、実施形態３は、装飾装置３０の構成以外の点については実施形態１と同様であるので、同様に構成については同一の符合を付し、詳細な説明は省略する。
【００７５】
図７に示すように、腕時計３００に備えられる装飾装置３０の上板ガラスｇ１の外表面ｇ１１には、装飾部３１がエッチングにより形成されている。
図８に示すように、装飾部３１である時字３１ａ、文字３１ｂが、上板ガラスｇ１の外表面ｇ１１からその反対側の面へ向かって凹状に形成されている。
【００７６】
このような装飾部３１を形成するためのエッチング処理は、例えば、次のようにして行う。先ず、上板ガラスｇ１の外表面ｇ１１に、時字３１ａ及び文字３１ｂの形成部分以外の部分にレジストを塗布し、装飾部３１の装飾パターン（例えば、平面視が図１の装飾部１３と同様の装飾パターン）を形成し、次いで、この上板ガラスｇ１をエッチング溶液に浸漬させ、レジストが塗布されていない部分を削り取り、最後にレジストを除去する。
【００７７】
以上のように、実施形態３の腕時計３００によれば、装飾部３１が上板ガラスｇ１の外表面ｇ１１にエッチングにより形成されているので、上板ガラスｇ１上に凹凸が形成されることとなって、より一層多様な装飾を施すことができる。
【００７８】
なお、エッチングにより形成される時字３１ａ及び文字３１ｂは、凹状に限定されるものではなく、例えば、時字３１ａ及び文字３１ｂの周辺部をエッチングすることによって、時字３１ａ及び文字３１ｂを凸状に形成してもよい。
また、装飾部３１が設けられる箇所は、上板ガラスｇ１の外表面ｇ１１に限定されるものではなく、例えば、下板ガラスｇ２の外表面ｇ２１（ＥＬ発光素子１２側の面）であってもよく、さらに、上板ガラスｇ１の外表面ｇ１１および下板ガラスｇ２の外表面ｇ２１両方のガラスに設けられていてもよい。
また、装飾部３１は、時字３１ａのような図形、文字３１ｂのような文字の他、放射状模様、同心円状模様、格子状模様等の模様を含む構成であってもよい。
【００７９】
［実施形態４］
次に、図９、図１０を参照して、本発明を腕時計に適用した実施形態４について説明する。図９は、本発明にかかる実施形態４を適用した腕時計を示す断面図、図１０は、図９の腕時計の要部の拡大図である。なお、実施形態４は、装飾装置４０の構成以外の点については実施形態１と同様であるので、同様の構成については同一の符合を付し、詳細な説明を省略する。
【００８０】
図９、図１０に示すように、腕時計４００に備えられる装飾装置４０の光照射部材としてのＥＬ発光素子１２の光照射外表面１２ａには、図１と同様の装飾部１３（時字１３ａ、文字１３ｂ）が印刷されている。
【００８１】
この実施形態４の腕時計４００によれば、内部に備える装飾装置４０の色素増感型太陽電池１１が太陽光入射面側から入射する太陽光や室内灯の光等により発電を行うことができるとともに、色素増感型太陽電池１１の太陽光入射面側と反対側に配設されているＥＬ発光素子１２から発せられる光によっても発電を行うことができることとなる。従って、色素増感型太陽電池１１の発電量をより増加させることが可能となる。
また、ＥＬ発光素子１２（光照射部材）を色素増感型太陽電池１１の太陽光入射面側と反対側に配設したので、従来の同一面上に光照射部材と太陽電池とを配置した場合に比べて、より広い発光面積のＥＬ発光素子１２を配置することができることとなって、発光量も増加させることができる。
【００８２】
また、ＥＬ発光素子１２から発せられる光が、装飾装置４０を透過し、腕時計４００の太陽光入射面側に到達するので、暗所においてＥＬ発光素子１２を発光させることにより、指針８ｂなどをその光で照射することができる。また、ＥＬ発光素子１２に印刷された時字１３ａ及び文字１３ｂの部分は他の部分と比較して光の透過量が異なるか、又は、全く光が透過されないので、暗所においてＥＬ発光素子１２を発光させることにより時字１３ａ及び文字１３ｂは他の部分と判別表示される。このような構成により、腕時計４００が示す時刻や装飾が暗所においても視認可能となる。
また、ＥＬ発光素子１２に時字１３ａ及び文字１３ｂが直接印刷されているので、装飾用の装飾板等を別途備える必要が無く、装飾装置４０の薄型化を図ることができ、結果として腕時計４００の薄型化を図ることができる。
【００８３】
［実施形態５］
次に、図１１、図１２を参照して、本発明を腕時計に適用した実施形態５について説明する。図１１は、本発明にかかる実施形態５を適用した腕時計を示す断面図、図１２は、図１１の腕時計の要部の拡大図である。なお、実施形態５は、装飾装置５０の構成以外の点については実施形態１、実施形態２と同様であるので、同様の構成については同一の符合を付し、詳細な説明を省略する。
【００８４】
図１２に示すように、腕時計５００に備えられる装飾装置５０の光照射部材としてのＥＬ発光素子１２の光照射外表面１２ａには、装飾部２１（時字２１ａ、文字２１ｂ）が植字されている。
【００８５】
この実施形態５の腕時計５００によれば、ＥＬ発光素子１２から発せられる光により、指針８ｂなどをその光で照射することができる。また、ＥＬ発光素子１２に植字された時字２１ａ及び文字２１ｂの部分は他の部分と比較して光の透過量が異なるか、又は、全く光が透過されないので、暗所においてＥＬ発光素子１２を発光させることにより時字２１ａ及び文字２１ｂは他の部分と判別表示される。このような構成により、腕時計５００が示す時刻や装飾が暗所においても視認可能となる。
また、ＥＬ発光素子１２の光照射外表面１２ａに時字２１ａ及び文字２１ｂが植字されているので、ＥＬ発光素子１２自体が装飾の機能することとなるので、装飾用の装飾板等を別途備える必要が無く、装飾装置５０の薄型化を図ることができ、結果として腕時計５００の薄型化を図ることができる。
【００８６】
なお、上記実施形態においては、時字２１ａ及び文字２１ｂを植字する構成を示したが、植字に限定されるものではなく、ＥＬ発光素子１２の光照射外表面１２ａに所定の形状をなした装飾部材等を貼付けることにより、装飾部２１を構成するようにしてもよい。
【００８７】
［実施形態６］
次に、図１３、図１４を参照して、本発明を腕時計に適用した実施形態６について説明する。図１３は、本発明にかかる実施形態６を適用した腕時計を示す断面図、図１４は、図１３の腕時計の要部の拡大図である。なお、実施形態６は、装飾装置６０の構成以外の点については、実施形態１と同様であるので、同様の構成については同一の符合を付し、詳細な説明は省略する。
【００８８】
図１３に示すように、腕時計６００に備えられる装飾装置６０の色素増感型太陽電池１１の上板ガラスｇ１の外表面ｇ１１には、図１と同様の装飾部１３（時字１３ａ、文字１３ｂ）が印刷されている。
【００８９】
また、装飾装置６０の光照射部材６１は、光を発する発光素子としてのＬＥＤ６２と、このＬＥＤ６２から発せられる光を導き入れて色素増感型太陽電池１１に向けて照射する導光板６３とから構成されている。
【００９０】
ＬＥＤ６２は、例えば、図１４に示すように、導光板６３の外周側面部であって、且つ、時字１３ａの１２時に対応する箇所に配設されている。そして、ＬＥＤ６２から発せられた光は、導光板６３に入射し導光され、導光板６３全体より色素増感型太陽電池１１に向かって出射されるようになっている。
このＬＥＤ６２は、例えば、表示駆動回路部１０４（図４参照）と電気的に接続されており、この表示駆動回路部１０４から出力される発光信号に基づいて、導光板６３に対して光を発することができるようになっている。
【００９１】
以上のように、実施形態６の腕時計６００によれば、光照射部材６１がＬＥＤ６２と導光板６３とから構成されているので、色素増感型太陽電池１１にＬＥＤ６２から発せられる光が確実に均等に照射されることとなって、より発電効率を向上させることができる。
【００９２】
なお、上記実施形態においては、ＬＥＤ６２が導光板６３の外周側面部に配設されている構成を示したが、例えば、導光板６３の外周側面部に環状のＬＥＤ６２を備える構成としてもよいし、複数のＬＥＤ６２を備える構成としてもよい。
【００９３】
また、装飾部１３が設けられる箇所は、上板ガラスｇ１の外表面ｇ１１に限定されるものではなく、例えば、下板ガラスｇ２の外表面ｇ２１（ＥＬ発光素子１２側の面）であってもよく、さらに、上板ガラスｇ１の外表面ｇ１１及び下板ガラスｇ２の外表面ｇ２１の両方のガラスに設けられていてもよい。
【００９４】
また、上板ガラスｇ１の外表面ｇ１１に設けられる装飾部１３の代わりに、実施形態２に示した装飾部２１を植字又は貼付した構成であってもよいし、実施形態３に示した装飾部３１をエッチングにより形成する構成であってもよい。
また、装飾部１３を上板ガラスｇ１に設けるのではなく、導光板６３の光照射外表面６２ａに設ける構成としてもよい。この場合においても、装飾部１３を印刷して設ける構成や、実施形態２に示した装飾部２１を植字又は貼付した構成であってもよいし、実施形態３で示した装飾部３１をエッチングにより形成する構成であってもよい。
【００９５】
［実施形態７］
次に、図１５、図１６を参照して、本発明を腕時計に適用した実施形態７について説明する。図１５は、本発明にかかる実施形態７を適用した腕時計を示す断面図、図１６は、図１５の腕時計の要部の拡大図である。なお、実施形態７は、装飾装置７０の構成以外の点については実施形態１と同様であるので、実施形態１と同様の構成については同一の符合を詳細な説明を省略する。
【００９６】
図１５に示すように、腕時計７００に備えられる装飾装置７０は、色素増感型太陽電池１１と、この色素増感型太陽電池１１の太陽光入射面側に配設された光透過性を有する装飾板７１と、この装飾板７１の太陽光入射面７１ａに形成されている装飾部２１とを備えている。
【００９７】
装飾板７１は、例えば、図１６に示すように、指針軸８ａに取り付けられ、この装飾板７１の装飾部２１上を指針８ｂが運針するように構成されている。
また、装飾板７１の色は、色素増感型太陽電池１１の色素の色と異なっており、装飾板７１の色と色素増感型太陽電池１１の色素の色とが合成された色が視認されるようになっている。
装飾部２１は、例えば、図１に示す図形としての時字２１ａと、文字としての文字２１ｂとから構成されており、実施形態２に示したように植字されている。
【００９８】
以上のように、実施形態７の腕時計７００によれば、装飾装置７０の装飾部１３が設けられる装飾板７１が光透過性を有しているので、色素増感型太陽電池１１が、太陽光入射面側から入射する太陽光や室内灯の光等により発電を行うことができるとともに、色素増感型太陽電池１１の太陽光入射面側と反対側に配設されているＥＬ発光素子１２により発せられる光によっても発電を行うことができることとなる。従って、色素増感型太陽電池１１の発電量をより増加させることが可能となる。
また、ＥＬ発光素子１２（光照射部材）を色素増感型太陽電池１１の太陽光入射面側と反対側に配設したので、従来の同一面上に光照射部材と太陽電池とを配置した場合に比べて、より広い発光面積のＥＬ発光素子１２を配置することができることとなって、発光量も増加させることができる。
【００９９】
また、装飾板の色と、色素増感型太陽電池１１の色素の色との合成色が視認されることとなるので、装飾における色彩のバリエーションを増やすことができる。
【０１００】
なお、図１５、図１６は、装飾装置７０の装飾板７１の太陽光入射面７１ａに装飾部２１が植字されている構成を示しているが、実施形態２に示したように、装飾部１３が印刷されている構成或いは実施形態３に示したように装飾部３１がエッチングにより形成されている構成あってもよい。
さらに、上板ガラスｇ１の外表面ｇ１１、下板ガラスｇ２の外表面ｇ２１のうち、少なくとも何れか一方の面に、上記実施形態で示した装飾を施してもよい。
【０１０１】
［実施形態８］
次に、図１７、図１８を参照して、本発明を腕時計に適用した実施形態８について説明する。図１７は、本発明にかかる実施形態８を適用した腕時計を示す断面図、図１８は、図１７の腕時計の要部の拡大図である。なお、実施形態８は、装飾装置８０の構成以外の点については、実施形態１、実施形態７と同様であるので、同様の構成については同一符合を付し、詳細な説明を省略する。
【０１０２】
図１７、図１８に示すように、腕時計８００に備えられる装飾装置８０は、装飾板７１が色素増感型太陽電池１１の太陽光入射面側と反対側に配設されている点でのみ実施形態７と異なる。
【０１０３】
この実施形態８の腕時計８００によれば、装飾装置８０の装飾部２１が設けられる装飾板７１が光透過性を有しているので、色素増感型太陽電池１１が、太陽光入射面側から入射する太陽光や室内灯の光等により発電を行うことができるとともに、装飾板７１の太陽光入射面側と反対側に配設されているＥＬ発光素子１２により発せられる光によっても発電を行うことができることとなる。従って、色素増感型太陽電池１１の発電量をより増加させることが可能となる。
また、ＥＬ発光素子１２（光照射部材）を色素増感型太陽電池１１の太陽光入射面側と反対側に配設したので、従来の同一面上に光照射部材と太陽電池とを配置した場合に比べて、より広い発光面積のＥＬ発光素子１２を配置することができることとなって、発光量も増加させることができる。
【０１０４】
さらに、上板ガラスｇ１の外表面ｇ１１、下板ガラスｇ２の外表面ｇ２１のうち、少なくとも何れか一方の面に、上記実施形態で示した装飾を施してもよい。
【０１０５】
［実施形態９］
次に、図１９〜図２２を参照して、本発明を腕時計に適用した実施形態９について説明する。図１９は、本発明にかかる実施形態９を適用した腕時計を示す一部省略平面図、図２０は、図１９のＸＸ−ＸＸ線における腕時計の断面図、図２１は、図２０の腕時計の要
部の断面図、図２２は、図１９の腕時計の要部構成を示すブロック図である。なお、実施形態１と同様の構成については同一の符合を付し、詳細な説明を省略する。
【０１０６】
なお、本実施形態における機器ケースとしての時計ケース２ａ、上部ハウジング５ａ、下部ハウジング６ａは、それぞれ、実施形態１の時計ケース２、時計ガラス３ａ、上部ハウジング５、下部ハウジング６と同様の機能を有するものであるため、これらについても詳細な説明は省略する。
【０１０７】
図２０に示すように、腕時計９００には、時計ガラス３ａと上部ハウジング５ａとの間に見切り板１４が配設されている。
また、図１９、図２０に示すように、腕時計９００に備えられる装飾装置９０は、上部ハウジング５ａに収容される太陽電池としての色素増感型太陽電池９１と、時刻等を液晶表示させる液晶表示部９２と、色素増感型太陽電池９１及び液晶表示部９２の太陽光入射面側と反対側に配設される光照射部材としてのＥＬ発光素子１２等を備えている。
【０１０８】
色素増感型太陽電池９１は、上板ガラスｇ１と下板ガラスｇ２からなる一対の光透過基板と、この上板ガラスｇ１と下板ガラスｇ２との間の第１の領域Ｅ１に配設された色素増感型太陽電池素子９１ａを備えて構成されている。
【０１０９】
図１９に示すように、色素増感型太陽電池９１の上板ガラスｇ１の外表面ｇ１１には、装飾部９３である図形としての時字９３ａが印刷されている。
時字９３ａは、例えば、図１９に示すように、円形又は正方形の図形であって、実施形態１（図１）と同様に等間隔に１２カ所印刷されている。そして、この時字９３ａが指針９４（時針９４ａ、分針９４ｂ）によって指示されることにより、現在の時刻を視認することができるようになっている。
【０１１０】
液晶表示部９２は、例えば、図２０、図２１に示すように、上板ガラスｇ１と下板ガラスｇ２からなる一対の光透過基板と、この上板ガラスｇ１と下板ガラスｇ２との間の第２の領域Ｅ２に配設された液晶部９２ａを備えて構成されている。
つまり、一対の光透過基板（上板ガラスｇ１、下板ガラスｇ２）の間に、色素増感型太陽電池素子９１ａと液晶部９２ａとがそれぞれ挟持され一体的に構成されている。
【０１１１】
そして、上板ガラスｇ１の外表面ｇ１１には、液晶部９２ａに対応した位置に、液晶表示部９２の一部である透過型偏光板９５が配設されている。
また、下板ガラスｇ２の外表面ｇ２１には、液晶部９２ａに対応した位置に、液晶表示部９２の一部である半透過反射板付偏光板９６が配設されている。
なお、上板ガラスｇ１と下板ガラスｇ２との間の第１の領域Ｅ１と第２の領域Ｅ２とは、シール部材１１ｂにより仕切られており、色素増感型太陽電池素子９１ａと液晶部９２ａとが隔絶されている。
【０１１２】
液晶部９２ａは、例えば、上板ガラスｇ１の外表面ｇ１１と反対側の面に備えられた上透明電極（図示省略）と、下板ガラスｇ２の外表面ｇ２１と反対側の面に備えられた下透明電極（図示省略）と、その上透明電極と下透明電極の間に封止される液晶層（図示省略）等により構成されている。なお、液晶層には、例えば、ツイスト角が９０度のツイストネマティック（ＴＮ）液晶を使用する。
なお、液晶部９２ａにおける透明電極（上透明電極、下透明電極）からは、配線（図示省略）が延出しており、回路基板７に繋がるコネクタｃに接続されている。
【０１１３】
そして、ＥＬ発光素子１２から発せられる光が半透過反射板付偏光板９６を介して太陽光入射面側へ透過するようになっており、その光を液晶部９２ａへ照射することができるようになっている。
また、液晶部９２ａは、見切り板１４に形成された液晶窓部１４ａから、太陽光などの外光が照射されるようになっており、液晶部９２ａにおける液晶表示（デジタル表示）を液晶窓部１４ａから視認することができるようになっている。
【０１１４】
この液晶部９２ａは、図２２に示す表示駆動回路部９０４と電気的に接続されている。そして、例えば、表示駆動回路部９０４が、ＣＰＵ１０１から出力された出力指示信号に基づいて一対の透明電極間に所定の電圧を印加すると、その印加状態に応じて、時刻、日付等の情報をデジタル表示できるようになっている。
【０１１５】
ＥＬ発光素子１２は、例えば、図２１に示すように、色素増感型太陽電池９１の色素増感型太陽電池素子９１ａが配設された第１の領域Ｅ１及び液晶表示部９２の液晶部９２ａが配設された第２の領域Ｅ２の両方に光を発することができるように設けられている。
【０１１６】
以上のように、実施形態９の腕時計９００によれば、一対の光透過基板（上板ガラスｇ１、下板ガラスｇ２）とこの一対の光透過基板間の領域に配設された色素増感型太陽電池素子９１ａとを有する光透過性の色素増感型太陽電池９１と、この色素増感型太陽電池９１の太陽光入射面側と反対側に配設され、当該色素増感型太陽電池９１に光を照射するＥＬ発光素子１２と、上板ガラスｇ１の外表面ｇ１１に設けられた装飾部９３とを備えているので、色素増感型太陽電池９１が、外光及びＥＬ発光素子１２から照射される光により発電できることとなる。従って、色素増感型太陽電池９１の発電量をより増加させることが可能となる。
また、ＥＬ発光素子１２（光照射部材）を色素増感型太陽電池９１の太陽光入射面側と反対側に配設したので、従来の同一面上に光照射部材と太陽電池とを配置した場合に比べて、より広い発光面積のＥＬ発光素子１２を配置することができることとなって、発光量も増加させることができる。
【０１１７】
また、暗所においてＥＬ発光素子１２を発光させた場合には、ＥＬ発光素子１２から発せられた光によって色素増感型太陽電池９１が発電を行い、この発電した電力を二次電池９に蓄える。これにより、ＥＬ発光素子１２による電力消費を色素増感型太陽電池９１が得た電力で補充することが可能となり、ＥＬ発光素子１２を発光させたときの消費電力を低減させることが可能となるので、電力効率の良い装飾装置９０を備えている腕時計９００を提供することができる。
また、上板ガラスｇ１の外表面ｇ１１に時字９３ａが印刷されているので、上板ガラスｇ１自体が装飾の機能を有するため、別途装飾用の装飾部材等を設ける必要がなくなり、装飾装置を薄型化できる。
【０１１８】
また、腕時計９００内の装飾装置９０のＥＬ発光素子１２から発せられる光が、色素増感型太陽電池素子９１ａや液晶部９２ａを透過し、腕時計９００の太陽光入射面側に到達する。従って、暗所においてＥＬ発光素子１２を発光させることにより、指針９４および液晶部９２ａをその光で照射することができることとなって、腕時計９００が示す時間等を視認することができる。
また、一つのＥＬ発光素子１２によって、色素増感型太陽電池素子９１ａと液晶部９２ａとに光が発せられるので、ＥＬ発光素子１２を個別に設ける必要がなくなることとなって、コストをより削減することができる。
【０１１９】
また、上板ガラスｇ１と下板ガラスｇ２との間に液晶部９２ａを挟持するという一般的な液晶表示部９２を形成する構成において、色素増感型太陽電池９１も上板ガラスｇ１と下板ガラスｇ２との間に備えることができるので、色素増感型太陽電池９１と液晶表示部９２をそれぞれ厚さ方向に設ける必要が無くなることとなって、装飾装置９０の薄型化を図ることができる。
【０１２０】
また、装飾装置９０の液晶表示部９２の液晶部９２ａによって液晶表示機能（デジタル表示機能）が付与される。
【０１２１】
なお、実施形態９における装飾部９３は、時字９３ａのみが上板ガラスｇ１に印刷されている構成を示したが、実施形態１（図１参照）に示すような文字が印刷されているものであってもよいし、上板ガラスｇ１の外表面ｇ１１に、実施形態２又は実施形態３で示したように、植字又は貼付け、或いはエッチングにより装飾を施す構成としてもよい。
また、装飾部９３が形成されるのは上板ガラスｇ１の外表面ｇ１１に限定されるものではなく、例えば、下板ガラスｇ２の外表面ｇ２１であってもよいし、上板ガラスｇ１の外表面ｇ１１および下板ガラスｇ２の外表面ｇ２の両方に設けられていてもよく、さらに、実施形態７に示した光透過性の装飾板７１を備える構成としてもよい。
【０１２２】
また、ＥＬ発光素子１２を設ける代わりに、実施形態６に示したＬＥＤ６２と導光板６３とを組み合わせて設ける構成としてもよい。
【０１２３】
［実施形態１０］
次に、図２３、図２４を参照して、本発明を携帯電話機に適用した実施形態１０について説明する。図２３は、本発明にかかる実施形態１０を適用した携帯電話機を示す平面図、図２４は、図２３のＸＸＩＶ−ＸＸＩＶ線における携帯電話機の要部を示す拡大断面図である。なお、実施形態１０は、装飾装置１１０を携帯電話機１０００に適用した点でのみ実施形態１、実施形態９と異なるので、実施形態１、実施形態９と同様の構成については同一の符号を付し、詳細な説明を省略する。
【０１２４】
図２３に示すように、携帯電話機１０００は、例えば、折畳み式であって、キー入力部１２１を有する第１の筐体１２０と、この第１の筐体１２０に回動自在に設けられた機器ケースとしての第２の筐体１３０と、この第２の筐体１３０に収納される装飾装置１１０等を備えて構成されている。
【０１２５】
装飾装置１１０の色素増感型太陽電池１１１の上板ガラスｇ３には、図２３に示す装飾部１１２が設けられている。具体的には、例えば、上板ガラスｇ３の外表面ｇ３１（太陽光入射面）の上端近傍に、装飾部１１２の文字としての文字１１２ａ（例えば、図２３に示す「ＡＩＣ」）が印刷されている。
また、本実施形態においては、図２４に示すように、色素増感型太陽電池素子１１１ａが配設される第１の領域Ｅ１を、装飾部１１２の大きさに合致するように設け、色素増感型太陽電池１１１を構成する。
【０１２６】
また、上板ガラスｇ３の外表面ｇ３１の液晶部１１３ａに対応する位置には、透過型偏光板１１４が配設されているとともに、下板ガラスｇ４の外表面ｇ４１の液晶部１１３ａに対応する位置には、半透過型反射板付偏光板１１５が配設されている。
なお、ＥＬ発光素子１１６は、第２の筐体１３０の裏面側（太陽光入射面側と反対側）の内壁部１３１に基板１１７を介して固定されている。
【０１２７】
そして、この携帯電話機１０００においては、キー入力部１２１の所定のキーを入力したときや、折畳み状態から第２の筐体１３０を回動させたときに、表示駆動回路部９０４（図２２参照）からＥＬ発光素子１２へ発光信号が出力され、ＥＬ発光素子１２から色素増感型太陽電池素子１１１ａ及び液晶部１１３ａに光が発せられることにより、装飾部１１２及び液晶表示部１１３の表示を視認できるようになっている。
【０１２８】
以上のように、実施形態１０の携帯電話機１０００によれば、一対の光透過基板（上板ガラスｇ３、下板ガラスｇ４）とこの一対の光透過基板間の領域に配設された色素増感型太陽電池素子１１１ａとを有する光透過性の色素増感型太陽電池１１１と、この色素増感型太陽電池１１１の太陽光入射面側と反対側に配設され、当該色素増感型太陽電池１１１に光を照射するＥＬ発光素子１１６と、上板ガラスｇ１の外表面ｇ１１に設けられた装飾部１１２と、を備えているので、色素増感型太陽電池１１１が、外光及びＥＬ発光素子１１６から照射される光により発電できることとなる。従って、色素増感型太陽電池１１１の発電量をより増加させることが可能となる。
また、ＥＬ発光素子１１６（光照射部材）を色素増感型太陽電池１１１の太陽光入射面側と反対側に配設したので、従来の同一面上に光照射部材と太陽電池とを配置した場合に比べて、より広い発光面積のＥＬ発光素子１１６を配置することができることとなって、発光量も増加させることができる。
また、上板ガラスｇ３の外表面ｇ３１に文字１１２ａが印刷されているので、上板ガラスｇ３自体が装飾の機能を有するため、別途装飾用の装飾部材等を設ける必要がなくなり、装飾装置１１０を薄型化できる。
【０１２９】
また、ＥＬ発光素子１１６が発する光が、装飾装置１１０（色素増感型太陽電池素子１１１ａや液晶部１１３ａ）を透過し、腕時計９００の太陽光入射面側に到達する。従って、暗所においてＥＬ発光素子１１６を発光させることにより、装飾部１１２、液晶表示部１１３をその光で照射することができることとなって、腕時計９００が示す時刻や装飾等を視認することができる。
【０１３０】
また、上板ガラスｇ３と下板ガラスｇ４との間に液晶部１１３ａを挟持するという一般的な液晶表示部１１３を形成する構成において、色素増感型太陽電池１１１も上板ガラスｇ３と下板ガラスｇ４との間に備えることができるので、色素増感型太陽電池１１１と液晶表示部１１３とをそれぞれ厚さ方向に設ける必要が無く、装飾装置１１０の薄型化を図ることができ、その結果、携帯電話機１０００の薄型化を図ることができる。
【０１３１】
なお、携帯電話機１０００の装飾装置１１０の装飾部１１２は、文字１１２ａのみが上板ガラスｇ３に印刷されている構成を示したが、ロゴマーク等の図形が印刷されているものであってもよいし、上板ガラスｇ３の外表面ｇ３１に、実施形態２又は実施形態３で示したように、植字又は貼付、或いはエッチングにより装飾を施す構成としてもよい。
また、装飾部１１２が形成されるのは、上板ガラスｇ３の外表面ｇ３１に限定されるものではなく、例えば、下板ガラスｇ４の外表面ｇ４１（ＥＬ発光素子１２側の面）であってもよい。
また、ＥＬ発光素子１１６を設ける代わりに、実施形態６に示したＬＥＤ６２及び導光板６３を設ける構成としてもよい。
さらに、実施形態７に示した光透過性の装飾板７１に相当する部材等を備える構成としてもよい。
【０１３２】
なお、以上の実施の形態においては、電子機器として腕時計、携帯電話機を例に説明したが、本発明はこれに限定されるものではなく、電子機器は、ＰＤＡ、パーソナルコンピュータ、自動車の計器類など、各種電子機器であってもよい。
【０１３３】
また、装飾部の時字は、例えば、アラビア数字、ローマ数字等の数字や、円形、楕円形等の図形を形成してもよい。
また、装飾部の文字は、例えば、会社名、商品名等のロゴマーク等を構成するようにしてもよい。
そして、これら時字、文字の配置数や配置箇所についても限定されるものではない。
【０１３４】
また、装飾部は、上記した印刷、植字又は貼付、エッチングをそれぞれ組み合わせて形成させてもよい。
【０１３５】
また、色素増感型太陽電池１１における色素として、ルテニウム系の色素を例に挙げたが、色素としては、メロシアニン系、クマリン系、フェナントロリン系の色素なども用いることができる。
【０１３６】
また、その他、具体的な細部構造等についても適宜に変更可能であることは勿論である。
【図面の簡単な説明】
【０１３７】
【図１】本発明にかかる実施形態１の腕時計を示す一部省略平面図である。
【図２】図１のＩＩ−ＩＩ線における腕時計の断面図である。
【図３】図２の腕時計の要部の拡大図である。
【図４】図１の腕時計の要部構成を示すブロック図である。
【図５】本発明にかかる実施形態２の腕時計を示す断面図である。
【図６】図５の腕時計の要部の拡大図である。
【図７】本発明にかかる実施形態３の腕時計を示す断面図である。
【図８】図７の腕時計の要部の拡大図である。
【図９】本発明にかかる実施形態４の腕時計を示す断面図である。
【図１０】図９の腕時計の要部の拡大図である。
【図１１】本発明にかかる実施形態５の腕時計を示す断面図である。
【図１２】図１１の腕時計の要部の拡大図である。
【図１３】本発明にかかる実施形態６の腕時計を示す断面図である。
【図１４】図１３の腕時計の要部の拡大図である。
【図１５】本発明にかかる実施形態７の腕時計を示す断面図である。
【図１６】図１５の腕時計の要部の拡大図である。
【図１７】本発明にかかる実施形態８の腕時計を示す断面図である。
【図１８】図１７の腕時計の要部の拡大図である。
【図１９】本発明にかかる実施形態９の腕時計を示す一部省略平面図である。
【図２０】図１９のＸＸ−ＸＸ線における腕時計の断面図である。
【図２１】図２０の腕時計の要部の拡大図である。
【図２２】図１９の腕時計の要部構成を示すブロック図である。
【図２３】本発明にかかる実施形態１０の携帯電話機を示す平面図である。
【図２４】図２２のＸＸＩＶ−ＸＸＩＶ線における携帯電話機の要部の断面図である。
【符号の説明】
【０１３８】
２、２ａ  時計ケース（機器ケース）
８  アナログ指針機構（駆動部）
８ａ、９４  指針
１０、２０、３０、４０、５０、６０、７０、８０、９０、１１０  装飾装置
１１、９１、１１１  色素増感型太陽電池（太陽電池）
１１ａ、９１ａ、１１１ａ  色素増感型太陽電池素子
１２、１１６  ＥＬ発光素子（光照射部材）
１３、２１、３１、９３、１１２  装飾部
１３ａ、２１ａ、３１ａ、９３ａ、１１２ａ  時字（図形）
１３ｂ  ２１ｂ、３１ｂ、９３ｂ、１１２ｂ  文字（文字）
６１  光照射部材
６２  ＬＥＤ（光照射部材）
６３  導光板（光照射部材）
１００、２００、３００、４００、５００、６００、７００、８００、９００  腕時計（電子機器）
１３０  第２の筐体（機器ケース）
１０００  携帯電話機（電子機器）
ｇ１、ｇ３  上板ガラス（一対の光透過基板）
ｇ２、ｇ４  下板ガラス（一対の光透過基板）
【図１】
2005324517.tif 000003
【図２】
2005324517.tif 000004
【図３】
2005324517.tif 000005
【図４】
2005324517.tif 000006
【図５】
2005324517.tif 000007
【図６】
2005324517.tif 000008
【図７】
2005324517.tif 000009
【図８】
2005324517.tif 000010
【図９】
2005324517.tif 000011
【図１０】
2005324517.tif 000012
【図１１】
2005324517.tif 000013
【図１２】
2005324517.tif 000014
【図１３】
2005324517.tif 000015
【図１４】
2005324517.tif 000016
【図１５】
2005324517.tif 000017
【図１６】
2005324517.tif 000018
【図１７】
2005324517.tif 000019
【図１８】
2005324517.tif 000020
【図１９】
2005324517.tif 000021
【図２０】
2005324517.tif 000022
【図２１】
2005324517.tif 000023
【図２２】
2005324517.tif 000024
【図２３】
2005324517.tif 000025
【図２４】
2005324517.tif 000026